(57)【要約】【課題】構造の簡単なコネクタを提供する。【解決手段】本考案のコネクタは、対向した両側板を有し、両側板の間に接続対象を収容するための組込凹部が形成されたハウジングと、前記組込凹部へ延出するように前記接続対象に接続するためのコンタクト部を有するコンタクトと、前記ハウジングの外側を覆っているシールドケースとを含むコネクタにおいて、前記シールドケースと別体に成形され、前記組込凹部へ延出するように接続対象に押圧するための弾性アームを有し、前記ハウジングの側板に保持される弾性舌片を含む。また、このコネクタは、弾性舌片がシールドケースと別体で成形されるので、シールドケースの構造が簡単になり、製造加工が易くなっている。【選択図】図２
0003136252.tif 000002
【実用新案登録請求の範囲】
【請求項１】
対向した両側板を有し、両側板の間に接続対象を収容するための組込凹部が形成されたハウジングと、
前記組込凹部へ延出するように前記接続対象に接続するためのコンタクト部を有するコンタクトと、  
前記ハウジングの外側を覆っているシールドケースと
を含むコネクタにおいて、
前記シールドケースと別体に成形され、前記組込凹部へ延出するように接続対象に押圧するための弾性アームを有し、前記ハウジングの側板に保持される弾性舌片を含むことを特徴とするコネクタ。
【請求項２】
前記側板は、第一保持溝と第二保持溝が対応し形成される第一側板と第二側板とを含み、前記弾性舌片が前記第一保持溝及び第二保持溝に保持される基部を有することを特徴とする請求項１記載のコネクタ。
【請求項３】
前記弾性アームは第一弾性アームと第二弾性アームとを含み、前記第一弾性アームと第二弾性アームとは前記基部の両端からそれぞれ折曲がり延出するように形成されることを特徴とする請求項２に記載のコネクタ。
【請求項４】
前記第一側板及び第二側板には、前記弾性アームを収容するための第一収容溝と第二収容溝が対応し形成されることを特徴とする請求項３に記載のコネクタ。
【請求項５】
前記シールドケースはコ字形状を呈し、天板と天板の両側からそれぞれ延出するように形成される両側板とを含み、前記両側板に前記弾性舌片に押圧するための延出片がそれぞれ形成されることを特徴とする請求項１に記載のコネクタ。
【請求項６】
前記接続対象は、カメラモジュールとカメラモジュールに電気的に接続するドーター基板とを含むカメラモジュール部材であり、前記カメラモジュールに前記弾性アームを収容するための係止溝と係止溝に連通するロック部とが形成され、前記弾性アームの末端に前記ロック部に押圧する接触部が設けられることを特徴とする請求項１乃至５のいずれかの一項に記載のコネクタ。
【考案の詳細な説明】
【技術分野】
【０００１】
本考案は、電子部品や相手方コネクタ等を接続対象とし、この接続対象とプリント配線基板とを電気的に接続するためのコネクタに関するものである。特に、カメラモジュールやメモリモジュールなどの電子部品を接続対象とし、この接続対象とプリント配線基板とを電気的に接続するのに適したコネクタに関するものである。
【背景技術】
【０００２】
従来技術は、特許文献１に示すように、従来のコネクタは、プリント配線基板に実装され、カメラモジュールを収容するための組込凹部が形成された箱状のハウジングと、このハウジングに収容保持された複数のコンタクトと、ハウジングの外側を覆い取付けられるシールドケースと、を含む。また、前記コンタクトは、接続対象と接続するように組込凹部に延出するコンタクト部を有し、前記シールドケースは導電性金属板の打ち抜き、折り曲げ加工で形成され、その対向の両側壁にカメラモジュールに係止するための弾性舌片がそれぞれ打ち抜き加工で形成される。使用する際に、カメラモジュールはシールドケースの弾性舌片によってハウジングの組込凹部に装着され、コンタクトの組込凹部へ延出するコンタクト部に接続している。これによって、カメラモジュールとプリント配線基板とを電気的に接続することを達成できる。
【特許文献１】中国実用新案第２６６５９８３号明細書
【考案の開示】
【考案が解決しようとする課題】
【０００３】
しかしながら、カメラモジュールに係止するための弾性舌片は、シールドケースの側壁から打ち抜き加工で形成されることで、シールドケースの構造が複雑になるとともに、製造加工が難しいという問題点があった。上述した欠点に鑑みて、新型なコネクタを開発することが必要である。
【０００４】
本考案は、前記の問題点を鑑みなされたもので、構造の簡単なコネクタを提供することを目的とする。
【課題を解決するための手段】
【０００５】
このような問題を解決するために、本考案のコネクタは、対向した両側板を有し、両側板の間に接続対象を収容するための組込凹部が形成されたハウジングと、前記組込凹部へ延出するように前記接続対象に接続するためのコンタクト部を有するコンタクトと、前記ハウジングの外側を覆っているシールドケースとを含むコネクタにおいて、前記シールドケースと別体に成形され、前記組込凹部へ延出するように接続対象に押圧するための弾性アームを有し、前記ハウジングの側板に保持される弾性舌片を含むことを特徴としている。
【考案の効果】
【０００６】
従来技術に比べ、本考案は以下の利点を有し、弾性舌片がシールドケースと別体で成形されるので、シールドケースの構造が簡単になり、製造工程が簡略化される。
【考案を実施するための最良の形態】
【０００７】
以下、図1 〜図４を参照して、本考案のコネクタの好ましい実施形態について説明する。該コネクタ１００は、プリント配線基板（図示せず）に半田付けられ、接続対象（本実施状態において、接続対象はカメラモジュール部材５である）とプリント配線基板に接続するのに用いられる。コネクタ１００は、ハウジング１とハウジング１に装着された複数のコンタクト２と、ハウジング１に保持された一対の弾性舌片３と、ハウジング１に覆っているシールドケース４と、を含む。
【０００８】
前記ハウジング１は絶縁性合成樹脂で成形されたもので、略正方形状の後板１５と、この後板１５の各辺から垂直に延出するように形成された天板１１、底板１２、第１側板１３、第２側板１４とからなり、前側を開口して組込凹部１０とする略箱状に形成されている。前記天板１１は、中部に第一凸部１１１が形成され、先端に前記組込凹部１０に連通する一対の第一凹部１１２が形成される。前記底板１２は、中部に前記組込凹部１０に連通する取付溝１２１と、この取付溝１２１の両側に第二凹部１２２とが形成され、底面に位置決め柱１２３が下向きに延出するように形成され、また、前記組込凹部１０に連通する複数の装着溝１２４が貫通し形成される。
【０００９】
前記第一側板１３と第二側板１４は構造が同じで、第一保持溝１３１及び第二保持溝１４１と、前記組込凹部１０に連通する第一収容溝１３２及び第二収容溝１４２とが形成され、本実施状態において、第一収容溝１３２及び第二収容溝１４２が一対ずつであり、一対の第一収容溝１３２が前記第一保持溝１３１の両端にそれぞれ設けられ、前記一対の第二収容溝１４２が前記第二保持溝１４１の両端にそれぞれ設けられる。前記後板１５に組込凹部１０と装着溝１２４にそれぞれ連通する複数の受入溝１５１が形成される。
【００１０】
前記コンタクト２は、前記受入溝１５１に収容する主体部２１と、主体部２１の一端から折曲がって延出するように形成されるコンタクト部２２と、主体部２１の他端から延出するように形成される半田付け部２３と、を含む。前記主体部２１の他端が複数の突刺２１１が設けられ、突刺２１１によって主体部２１が前記受入溝１５１に保持される。
【００１１】
前記一対の弾性舌片３が構造が同じで、前記第一保持溝１３１及び第二保持溝１４１にそれぞれ保持され、基部３１と弾性アームを含み、この弾性アームは前記基部３１の両端からそれぞれ折曲がって延出するように形成される第一弾性アーム３２及び第二弾性アーム３３を有する。前記第一弾性アーム３２及び第二弾性アーム３３は組込凹部１０へそれぞれ延出する押圧部３２１、３３１と、末端にそれぞれ形成される接触部３２２、３３２と、をそれぞれ有する。
【００１２】
前記シールドケース４は略コ字形状を呈し、天板４１と、この天板４１の両側から垂直に延出するように形成される両側板４２と、これら天板４１と両側板４２とによって形成される収容空間４３と、を備えている。天板４１に前記ハウジング１の第一凸部１１１に係合するための第一係合溝４１１と、ハウジング１の一対の第一凹部１１２にそれぞれ保持される一対の第一保持片４１２とが形成される。前記両側板４２には構造が同じで、対向し延出するように設けられる一対の延出片４２１及び下向きに延出するように形成される固定脚４２２がそれぞれ設けられ、この延出片４２１にハウジング１の第二凹部１２２に係合するための第二保持片４２３が設けられる。
【００１３】
前記カメラモジュール部材５は、カメラモジュール５１とカメラモジュール５１に電気的に接続したドーター基板５２とを含み、カメラモジュール５１は、略正方形を呈する本体部５１１と、本体部５１１から突出したレンズユニット５１２（レンズの図面を省略）とを有する。この本体部５１１は前面５１３、後面５１４と、本体部５１１の四つ隅にそれぞれ形成された係止溝５１５と、係止溝５１５にそれぞれ対応するように本体部５１１の四つの隅に設けられたロック部５１６と、ハウジング１の取付溝１２１に係合される凸状リブ５１７とが設けられる。ドーター基板５２には、ロック部５１６に係合する欠け口５２１と、前記コンタクト２に電気的に接続するための導電パッド５２２とが形成される。前記カメラモジュール５１のロック部５１６がドーター基板５２の欠け口５２１に係合することによって、ドーター基板５２がカメラモジュール５１の後面に取付けられる。
【００１４】
図１乃至図４を参照すると、組み付ける際において、前記コンタクト２は突刺２１１が受入溝１５１に干渉し保持されることによって下方からハウジング１に装着され、そのコンタクト部２２が前カメラモジュール部材５に接続するために組込凹部１０に延出して、その半田付け部２３が装着溝１２４を貫通するようにハウジング１の底板から下向きに延出している。次に、弾性舌片３が第一保持溝１３１及び第二保持溝１４１にそれぞれ挿入し、第一弾性アーム３２及び第二弾性アーム３３は組込凹部１０に延出している。更に、シールドケース４でハウジング１を覆い、ハウジング１をシールドケース４の収容空間４３を収容させ、その第一保持片４１２と第二保持片４２３がハウジング１の第一凹部１１２及び第二凹部１２２にそれぞれ保持される。弾性舌片３がハウジング１から外れることを防止するために、シールドケース４の延出片４２１が弾性舌片３を押圧している。
【００１５】
使用する際は、組付け上げたカメラモジュール部材５がコネクタ１００の組込凹部１０に挿入される。挿入する時に、カメラモジュール部材５のロック部５１６が弾性舌片３の第一弾性アーム３２及び第二弾性アーム３３を押圧することで、第一弾性アーム３２及び第二弾性アーム３３を弾性的に変形させ、従って、カメラモジュール部材５がハウジング１の組込凹部１０に挿入される。カメラモジュール部材５を挿入した際に、前記第一弾性アーム３２と第二弾性アーム３３が元の状態を回復してカメラモジュール５１の係止溝５１５に収容し、且つその押圧部３２１、３３１がカメラモジュール５１に押圧すると共に、接触部３２２、３３２がカメラモジュール５１のロック部５１６に押圧し、これらによって、カメラモジュール部材５が組込凹部１０から外れることを防止できる。カメラモジュール部材５をコネクタ１００の組込凹部１０に挿入した際は、凸状リブ５１７がハウジング１の取付溝１２１に嵌合すると共に、コンタクト２のコンタクト部２２がドーター基板５２の導電パッド５２２に接続する。
【００１６】
前記コネクタ１００は、ハウジング１の位置決め柱１２３及びシールドケース４の固持脚４２２がプリント配線基板に保持されることによってプリント配線基板に実装され、そのコンタクト２の半田付け部２３がプリント配線基板に電気的に接続し、このコンタクト２によって、このカメラモジュール部材５とプリント配線基板とを電気的に接続する。
【００１７】
本考案の弾性舌片３がシールドケース４と別体に成形されるので、シールドケース４の構造が簡単になり、製造加工及び取付も簡単になっている。また、各弾性舌片３には一対の弾性アームだけがそれぞれ設けられるので、各弾性アームの組込凹部１０への突出し量を確実に等しくすることができる。すなわち、カメラモジュール部材５をコネクタ１００の組込凹部１０に挿入する際に、弾性舌片３の各弾性アームの弾性的な変形量が同じことにより、カメラモジュール部材５の取付精度が提高される。
【００１８】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００１９】
【図１】本考案に係るコネクタの組立斜視図である。
【図２】本考案に係るコネクタの部分の分解斜視図である。
【図３】図２に示すコネクタの他の角度から見た分解斜視図である。
【図４】図１に示すコネクタのＩＶ−ＩＶ線に沿っての断面図である。
【符号の説明】
【００２０】
１  ハウジング
１０  組込凹部
１１  天板
１２  底板
１３  第一側板
１４  第二側板
１１１  第一凸部
１１２  第一凹部
１２１  取付溝
１２２  第二凹部
１２３  位置決め柱
１２４  装着溝
１３１  第一保持溝
１３２  第一収容溝
１４１  第二保持溝
１４２  第二収容溝
１５１  受入溝
２  コンタクト
２１  主体部
２２  コンタクト部
２３  半田付け部
２１１  突刺
３  弾性舌片
３１  基部
３２  第一弾性アーム
３３  第二弾性アーム
３２１、３３１  押圧部
３２２、３３２  接触部
４  シールドケース
４１  天板
４２  側板
４３  収容空間
４１１  第一係合溝
４１２  第一保持片
４２１  延出片
４２２  固定脚
４２３  第二保持片
５  カメラモジュール部材
５１  カメラモジュール
５２  ドーター基板
５１１  本体部
５１２  レンズユニット
５１３  前面
５１４  後面
５１５  係止溝
５１６  ロック部
５１７  凸状リブ
１００  コネクタ
【図１】
0003136252.tif 000003
【図２】
0003136252.tif 000004
【図３】
0003136252.tif 000005
【図４】
0003136252.tif 000006